(57)【要約】【課題】受信環境をより精度良く推定する。【解決手段】リファレンスシグナルパターン生成部３５は、リファレンスシグナルパターンを生成する。CFI符号化部３６は、上位レイヤで通知されたCFIにチャネル符号化処理およびスクランブリング処理を施し、CFI変調部３７は、スクランブリング処理後のCFIにQPSK変調を施す。リファレンスシグナルパターンキャンセル部３２は、MBSFNサブフレームが入力された場合、サブキャリアのリファレンスシグナルパターンおよびPCFICH上のCFIをキャンセルする。補間部３３は、リファレンスシグナルパターンおよびPCFICH上のCFIがキャンセルされたサブキャリアから、各サブキャリアのチャネル推定値を求める。本発明は、携帯電話機に適用できる。【選択図】図３
2012085047.tif 000002
【特許請求の範囲】
【請求項１】
無線通信システムを構成する受信装置において、
物理チャネルに対して上位のレイヤにおいて通知される第１の情報の値と同じ値の第２の情報が上記物理チャネルにおいて送信されてきている場合、リファレンスシグナルに追加する既知の信号として、上記第２の情報を生成する生成手段と、
生成された上記第２の情報を用いて受信環境を推定する推定手段と
を有することを特徴とする受信装置。
【請求項２】
請求項１に記載の受信装置において、
前記推定手段は、生成された前記第２の情報を用いてチャネル推定する
ことを特徴とする受信装置。
【請求項３】
請求項１に記載の受信装置において、
前記推定手段は、生成された前記第２の情報を用いてSNR（Signal Noise Ratio）推定する
ことを特徴とする受信装置。
【請求項４】
請求項１に記載の受信装置において、
前記推定手段は、生成された前記第２の情報を用いて、信号電力、雑音電力、または干渉電力を推定する
ことを特徴とする受信装置。
【請求項５】
請求項１に記載の受信装置において、
前記推定手段は、生成された前記第２の情報を用いて自分の移動速度またはドップラー周波数を推定する
ことを特徴とする受信装置。
【請求項６】
請求項１に記載の受信装置において、
前記推定手段は、生成された前記第２の情報を用いて遅延スプレッド推定する
ことを特徴とする受信装置。
【請求項７】
請求項１に記載の受信装置において、
前記推定手段は、生成された前記第２の情報を用いてCQI（Channel Quality Indicator）または受信品質推定する
ことを特徴とする受信装置。
【請求項８】
請求項１に記載の受信装置において、
前記推定手段は、生成された前記第２の情報を用いてキャリア周波数の誤差を推定する
ことを特徴とする受信装置。
【請求項９】
請求項１に記載の受信装置において、
LTE（Long Term Evolution）に準拠した無線通信システムを構成する受信装置である
ことを特徴とする受信装置。
【請求項１０】
請求項１に記載の受信装置において、
前記生成手段は、MBSFN（Multimedia Broadcast and Multicast Service Single Frequency Network）サブフレームのCFI（Control Format Indicator）である前記第２の情報を生成する
ことを特徴とする受信装置。
【請求項１１】
無線通信システムを構成する受信装置の受信方法において、
物理チャネルに対して上位のレイヤにおいて通知される第１の情報の値と同じ値の第２の情報が上記物理チャネルにおいて送信されてきている場合、リファレンスシグナルに追加する既知の信号として、上記第２の情報を生成する生成ステップと、
生成された上記第２の情報を用いて受信環境を推定する推定ステップと
を含むことを特徴とする受信方法。
【請求項１２】
無線通信システムを構成する受信装置のコンピュータに、
物理チャネルに対して上位のレイヤにおいて通知される第１の情報の値と同じ値の第２の情報が上記物理チャネルにおいて送信されてきている場合、リファレンスシグナルに追加する既知の信号として、上記第２の情報を生成する生成ステップと、
生成された上記第２の情報を用いて受信環境を推定する推定ステップと
を含む処理を行わせるプログラム。
【発明の詳細な説明】
【技術分野】
【０００１】
本発明は受信装置および受信方法、並びにプログラムに関する。
【背景技術】
【０００２】
近年、通信技術の発達はめざましく、大容量のデータを高速で通信するシステムが実現されつつある。これは、有線通信のみの事ではなく、無線通信においても同様である。すなわち、携帯電話機などの移動端末機の普及に伴い、無線でも大容量のデータを高速で通信し、動画や音声などのマルチメディアデータを移動端末機でも利用可能とする次世代通信方式の研究、開発が盛んに行われている。
【０００３】
無線通信では、無線通信路（チャネル）において、マルチパスフェージング等に起因する信号の歪みが生じる。そこで、データシンボルと共に多重されて送信される既知のリファレンスシグナルを用いて、各サブキャリアのチャネル特性の推定値（チャネル推定値）を求め、UE（User Equipment）において、チャネルで受けた信号の歪みを補正する必要がある。チャネル推定値の精度が低いと、信号の歪みが適切に補正されず、受信信号の復調精度が低下することから、チャネル推定値の精度を向上させる為のさまざまな方式が提案されている。
【０００４】
図７を参照して、従来のチャネル推定の動作を説明する。
【０００５】
図７に示される従来のチャネル推定部２００では、各サブキャリアの受信信号が入力として与えられる。チャネル推定部２００は、デマッピング部２２１、リファレンスシグナルパターンキャンセル部２２２、補間部２２３、制御部２２４、およびリファレンスシグナルパターン生成部２２５から構成される。
【０００６】
まず、デマッピング部２２１において、受信信号からリファレンスシグナルがマッピングされているサブキャリアが抜き出される。なお、デマッピング部２２１およびリファレンスシグナルパターンキャンセル部２２２の動作は制御部２２４によって制御される。また、リファレンスシグナルパターン生成部２２５は、制御部２２４の制御の基に、リファレンスシグナルパターンを生成し、リファレンスシグナルパターンキャンセル部２２２にリファレンスシグナルパターンを供給する。
【０００７】
次に、リファレンスシグナルパターンキャンセル部２２２において、リファレンスシグナルのパターンがキャンセルされ、各サブキャリアのチャネル推定値が求められる。
【０００８】
その後、リファレンスシグナルパターンがキャンセルされたチャネル推定値は補間部２２３へ入力され、リファレンスシグナルの乗っていない各サブキャリアのチャネル推定値が求められる。
【０００９】
従来、チャネル推定用シンボル列を用いて、サブキャリア毎の伝搬路状況を推定するものがある。（例えば、特許文献１参照）。
【先行技術文献】
【特許文献】
【００１０】
【特許文献１】特開２００７−３６６２７号公報
【発明の概要】
【発明が解決しようとする課題】
【００１１】
しかしながら、チャネル推定の精度は、複雑なチャネル推定方式を用いる以外に、リファレンスシグナルの数を増やしたり、リファレンスシグナルの間隔を狭くすることでも改善できるが、通常、リファレンスシグナルの数や間隔はシステムで決められているものであり、UEが制御することはできない。
【００１２】
このような状況でも、より良い精度の受信環境の推定が求められている。
【００１３】
そこで、本発明は、上記課題を解決すること、すなわち、受信環境をより精度良く推定できる受信装置および受信方法、並びにプログラムを提供することを目的とする。
【課題を解決するための手段】
【００１４】
上記課題を解決するために、本発明の受信装置の一側面は、無線通信システムを構成する受信装置であって、物理チャネルに対して上位のレイヤにおいて通知される第１の情報の値と同じ値の第２の情報が物理チャネルにおいて送信されてきている場合、リファレンスシグナルに追加する既知の信号として、第２の情報を生成する生成手段と、生成された第２の情報を用いて受信環境を推定する推定手段とを有するものとされている。
【００１５】
また、本発明の受信装置の一側面は、上述の構成に加えて、推定手段は、生成された第２の情報を用いてチャネル推定するものとされている。
【００１６】
さらに、本発明の受信装置の一側面は、上述の構成に加えて、推定手段は、生成された第２の情報を用いてSNR（Signal Noise Ratio）推定するものとされている。
【００１７】
また、本発明の受信装置の一側面は、上述の構成に加えて、推定手段は、生成された第２の情報を用いて、信号電力、雑音電力、または干渉電力を推定するものとされている。
【００１８】
さらに、本発明の受信装置の一側面は、上述の構成に加えて、推定手段は、生成された第２の情報を用いて自分の移動速度またはドップラー周波数を推定するものとされている。
【００１９】
また、本発明の受信装置の一側面は、上述の構成に加えて、推定手段は、生成された第２の情報を用いて遅延スプレッド推定するものとされている。
【００２０】
さらに、本発明の受信装置の一側面は、上述の構成に加えて、推定手段は、生成された第２の情報を用いてCQI（Channel Quality Indicator）または受信品質推定するものとされている。
【００２１】
また、本発明の受信装置の一側面は、上述の構成に加えて、推定手段は、生成された第２の情報を用いてキャリア周波数の誤差を推定するものとされている。
【００２２】
さらに、本発明の受信装置の一側面は、上述の構成に加えて、LTE（Long Term Evolution）に準拠した無線通信システムを構成する受信装置であるものとされている。
【００２３】
また、本発明の受信装置の一側面は、上述の構成に加えて、生成手段は、MBSFN（Multimedia Broadcast and Multicast Service Single Frequency Network）サブフレームのCFI（Control Format Indicator）である第２の情報を生成するものとされている。
【００２４】
さらに、本発明の受信方法の一側面は、無線通信システムを構成する受信装置の受信方法であって、物理チャネルに対して上位のレイヤにおいて通知される第１の情報の値と同じ値の第２の情報が物理チャネルにおいて送信されてきている場合、リファレンスシグナルに追加する既知の信号として、第２の情報を生成する生成ステップと、生成された第２の情報を用いて受信環境を推定する推定ステップとを含むものとされている。
【００２５】
また、本発明のプログラムの一側面は、無線通信システムを構成する受信装置のコンピュータに、物理チャネルに対して上位のレイヤにおいて通知される第１の情報の値と同じ値の第２の情報が物理チャネルにおいて送信されてきている場合、リファレンスシグナルに追加する既知の信号として、第２の情報を生成する生成ステップと、生成された第２の情報を用いて受信環境を推定する推定ステップとを含む処理を行わせるものとされている。
【発明の効果】
【００２６】
本発明の一側面によれば、受信環境をより精度良く推定できる受信装置および受信方法、並びにプログラムを提供することができる。
【図面の簡単な説明】
【００２７】
【図１】送信装置の構成を示すブロック図である。
【図２】受信装置の構成を示すブロック図である。
【図３】チャネル推定部２６の構成を示すブロック図である。
【図４】LTEのサブフレーム構成の一例を示す図である。
【図５】チャネル推定の処理を説明するフローチャートである。
【図６】コンピュータのハードウェアの構成例を示すブロック図である。
【図７】従来の受信装置のチャネル推定部の構成を示すブロック図である。
【発明を実施するための形態】
【００２８】
以下、本発明の一実施の形態の無線通信システムについて、図１〜図６を参照しながら説明する。
【００２９】
ここで説明する無線通信システムは、LTE（Long Term Evolution）を用いた無線通信システムであって、MBSFN（Multimedia Broadcast and Multicast Service Single Frequency Network）サブフレーム上で送信されるCFI（Control Format Indicator）を既知信号とみなし、チャネル推定等に利用することによって、受信特性を改善することを特徴とする。
【００３０】
以下の実施例として、3GPP（3rd Generation Partnership Project）のLTEにおけるチャネル推定を用いて説明する。
【００３１】
図１は、無線通信システムをなす送信装置の構成を示すブロック図である。送信機１０は、チャネル符号化部１１、変調部１２、IFFT（Inverse Fast Fourier Transform）処理部１３、CP（Cyclic Prefix）付加部１４、D/A（Digital/Analog）変換部１５、および送信アンテナ１６を備えている。
【００３２】
チャネル符号化部１１は、各ユーザ宛の送信データに、誤り検出符号または誤り訂正符号を付加する。変調部１２は、誤り検出符号または誤り訂正符号が付加された送信データを、I成分およびQ成分にマッピングする。IFFT処理部１３は、I成分およびQ成分にマッピングされた送信データを時間領域の信号波に変換し、OFDMシンボルを生成する。CP付加部１４は、マルチパスによるシンボル間の干渉の影響を防ぐ為に、OFDMシンボルの先頭にCPを付加する。D/A変換部１５は、CPが付加されたOFDMシンボルをデジタル信号からアナログ信号に変換する。変換されたアナログ信号は、送信アンテナ１６から送信される。
【００３３】
図２は、無線通信システムをなす受信装置の構成を示すブロック図である。この受信装置は、携帯電話機、データ通信カード、PHS(Personal Handyphone System)、PDA(Personal Data Assistance, Personal Digital Assistants)、無線基地局等の通信装置の受信機とすることができる。
【００３４】
受信機２０は、受信装置の一例であり、受信アンテナ２１、A/D（analog/digital）変換部２２、FFTタイミング検出部２３、CP除去部２４、FFT処理部２５、チャネル推定部２６、復調部２７、およびチャネル復号部２８を備える。
【００３５】
A/D変換部２２は、受信アンテナ２１で受信された受信信号を、アナログ信号からデジタル信号に変換する。A/D変換部２２は、OFDMシンボルであるデジタル信号をFFTタイミング検出部２３およびCP除去部２４に供給する。FFTタイミング検出部２３は、FFTタイミング情報を検出し、FFTタイミング情報をCP除去部２４に供給する。
【００３６】
CP除去部２４は、FFTタイミング検出部２３で検出されたFFTタイミング情報を基に、OFDMシンボルの先頭に付加されているCPを除去する。FFT処理部２５は、CPが除去されたOFDMシンボルを、時間領域の信号波から各サブキャリア成分に変換する。
【００３７】
チャネル推定部２６は、データシンボルと共に多重されて送信される既知のリファレンスシグナルおよびCFIを用いて、各サブキャリアのチャネル推定値を求め、各サブキャリアの受信信号にチャネル推定値の複素共役を乗算することによって、チャネルで受けた信号の歪みを補償（チャネル等化）する。チャネルの影響が補償された、各サブキャリアの受信信号は、復調部２７に供給される。復調部２７は、I成分およびQ成分からなる各サブキャリアの受信信号を尤度情報に変換する。復調部２７は、尤度情報をチャネル復号部２８に供給する。チャネル復号部２８は、誤りを訂正するか、または誤りを検出し、受信データを得る。
【００３８】
図３は、チャネル推定部２６の構成を示すブロック図である。チャネル推定部２６は、デマッピング部３１、リファレンスシグナルパターンキャンセル部３２、補間部３３、制御部３４、リファレンスシグナルパターン生成部３５、CFI符号化部３６、およびCFI変調部３７を備えている。
【００３９】
ここで、MBSFNサブフレームおよびCFIについて説明する。
【００４０】
近年の無線通信では、同じ情報を複数のユーザに配信することのできる、MBMS（Multimedia Broadcast and Multicast Service）が注目を集めている。このようなブロードキャスト・マルチキャストサービスによれば、１対多の接続形態を介して、同じエリアで同じ時刻に複数のユーザが同じ情報を受け取ることが可能になる。
【００４１】
3GPPのLTEでもMBMSがサポートされており、MBMSは、MBSFNサブフレームと称される専用のサブフレームで送信される。図４にLTEのサブフレーム構成の一例を示す。LTEでは、各サブフレームの先頭には制御チャネルがマッピングされており、MBSFNサブフレームでも、先頭の１、または、２シンボルは通常のユニキャスト・サブフレームと同様に制御チャネルで構成されている。
【００４２】
図４は、制御チャネルのシンボル数が２である場合のMBSFNサブフレームを表す。さらに、各サブフレームでは、制御チャネルが何シンボルかという情報がCFIと称されるインジケータで通知され、CFIは専用の物理チャネルPCFICH（Physical Control Format Indicator Channel）で送信される。
【００４３】
図４に示されるように、PCFICHは、各サブフレームの１シンボル目にマッピングされており、４サブキャリアが１つのまとまりとなって、システム帯域中に等間隔に４箇所、計１６サブキャリアにマッピングされている（図４には、システム帯域中の一部が抜き出されて示されている）。
【００４４】
通常のユニキャスト・サブフレームでは、UEは受信信号からまずCFIを復号し、制御チャネルのシンボル数を知る必要がある。これに対し、MBSFNサブフレームでは、仕様により、制御チャネルのシンボル数は上位レイヤからの通知によって知ることができる。
【００４５】
さらに、LTEでは、仕様により、CFIが上位レイヤから通知されるにもかかわらず、MBSFNサブフレームのPCFICHでもCFIが送信される。この時、PCFICH上で送信されるCFIの値は、上位レイヤから通知された値と同じ値である。従って、UEは、上位レイヤから通知されたCFIを用いて、PCFICH上で送信されている信号のレプリカを生成することができる。つまり、UEにおいて、CFIを既知信号としてみなし、リファレンスシグナルと共にチャネル推定等に利用することができる。
【００４６】
受信機２０において、MBSFNサブフレーム上で送信されるCFIを既知信号とみなし、リファレンスシグナルに加えて、チャネル推定等に利用することによって、受信特性が改善される。
【００４７】
図３に戻り、チャネル推定部２６には、各サブキャリアの受信信号が入力される。デマッピング部３１は、制御部３４による制御の基に、受信信号からリファレンスシグナルがマッピングされているサブキャリアを抜き出す。より詳細には、制御部３４は、デマッピング部３１に、通常のユニキャスト・サブフレームが入力された場合、リファレンスシグナルがマッピングされているサブキャリアのみを抜き出させ、MBSFNサブフレームが入力された場合、リファレンスシグナルがマッピングされているサブキャリアに加えて、PCFICHがマッピングされているサブキャリアも抜き出させる。
【００４８】
制御部３４は、通常のユニキャスト・サブフレームが入力された場合、リファレンスシグナルパターン生成部３５のみにパターンを生成するように指示を出す。制御部３４は、MBSFNサブフレームが入力された場合、リファレンスシグナルパターン生成部３５にパターンを生成するように指示を出すのに加えて、上位から通知されているCFIをCFI符号化部３６に供給し、CFI符号化部３６およびCFI変調部３７に、CFIを符号化および変調することで、PCFICH上で送信されているCFIのレプリカを生成するように指示を出す。
【００４９】
リファレンスシグナルパターン生成部３５は、制御部３４の制御の基に、リファレンスシグナルパターンを生成し、生成したリファレンスシグナルパターンをリファレンスシグナルパターンキャンセル部３２に供給する。CFI符号化部３６は、制御部３４の制御の基に、制御部３４から供給されたCFIにチャネル符号化処理、およびスクランブリング処理を施す。CFI変調部３７は、制御部３４の制御の基に、スクランブリング処理後のCFIにQPSK変調を施すことによって、PCFICH上で送信されているCFIのレプリカを生成する。
【００５０】
CFI変調部３７は、このように生成された、PCFICH上で送信されているCFIのレプリカをリファレンスシグナルパターンキャンセル部３２に供給する。
【００５１】
リファレンスシグナルパターンキャンセル部３２は、通常のユニキャスト・サブフレームが入力された場合、サブキャリアのリファレンスシグナルパターンをキャンセルして、リファレンスシグナルパターンがキャンセルされたサブキャリアを補間部３３に供給する。また、リファレンスシグナルパターンキャンセル部３２は、MBSFNサブフレームが入力された場合、サブキャリアのリファレンスシグナルパターンおよびPCFICH上のCFIをキャンセルして、リファレンスシグナルパターンおよびPCFICH上のCFIがキャンセルされたサブキャリアを補間部３３に供給する。
【００５２】
補間部３３は、リファレンスシグナルパターンまたはPCFICH上のCFIがキャンセルされたサブキャリアから、前後のスロットや隣接するサブキャリアのチャネル推定値を用いて補間することで、各サブキャリアのチャネル推定値を求める。
【００５３】
チャネル推定に使用するリファレンスシグナルの数が多い程、また、リファレンスシグナル間の間隔が狭い程、チャネル推定の精度が高くなる。その為、CFIを既知信号（リファレンスシグナル）とみなすことによって、実質的に、リファレンスシグナルの数が増えることになる。その結果、リファレンスシグナル間の間隔も狭くなる為、精度のよいチャネル推定結果を得ることができるようになる。
【００５４】
なお、PCFICHはサブフレームの先頭シンボルにマッピングされている為、特に、制御チャネルのチャネル推定精度の向上が期待できる。
【００５５】
次に、図５のフローチャートを参照して、チャネル推定の処理を説明する。ステップＳ１１において、制御部３４は、入力されたサブフレームがMBSFNサブフレームであるか否かを判定する。ステップＳ１１において、入力されたサブフレームがMBSFNサブフレームであると判定された場合、手続きはステップＳ１２に進み、デマッピング部３１は、リファレンスシグナルがマッピングされているサブキャリアと、PCFICHがマッピングされているサブキャリアとを抜き出す。ステップＳ１３において、リファレンスシグナルパターン生成部３５は、リファレンスシグナルパターンを生成し、生成したリファレンスシグナルパターンをリファレンスシグナルパターンキャンセル部３２に供給する。
【００５６】
ステップＳ１４において、CFI符号化部３６は、制御部３４から供給されたCFIを、チャネル符号化し、スクランブリングする。ステップＳ１５において、CFI変調部３７は、スクランブリングされたCFIにQPSK変調を施す。これにより、PCFICH上で送信されているCFIのレプリカが生成される。CFI変調部３７は、CFIのレプリカ（CFIのシグナルパターン）をリファレンスシグナルパターンキャンセル部３２に供給する。
【００５７】
ステップＳ１６において、リファレンスシグナルパターンキャンセル部３２は、サブキャリアのリファレンスシグナルパターンをキャンセルする。ステップＳ１７において、リファレンスシグナルパターンキャンセル部３２は、PCFICH上のCFIのパターンをキャンセルする。リファレンスシグナルパターンおよびPCFICH上のCFIがキャンセルされたサブキャリアは、補間部３３に供給される。ステップＳ１８において、補間部３３は、リファレンスシグナルパターンおよびPCFICH上のCFIのパターンがキャンセルされたサブキャリアから、前後のスロットや隣接するサブキャリアのチャネル推定値を用いて補間することで、各サブキャリアのチャネル推定値を求めて、チャネル推定の処理は終了する。
【００５８】
一方、ステップＳ１１において、入力されたサブフレームがMBSFNサブフレームでないと判定された場合、通常のユニキャスト・サブフレームが入力されたので、手続きはステップＳ１９に進み、デマッピング部３１は、リファレンスシグナルがマッピングされているサブキャリアを抜き出す。ステップＳ２０において、リファレンスシグナルパターン生成部３５は、リファレンスシグナルパターンを生成し、生成したリファレンスシグナルパターンをリファレンスシグナルパターンキャンセル部３２に供給する。ステップＳ２１において、リファレンスシグナルパターンキャンセル部３２は、サブキャリアのリファレンスシグナルパターンをキャンセルする。ステップＳ２１の後、手続きはステップＳ１８に進み、補間部３３は、リファレンスシグナルパターンがキャンセルされたサブキャリアから、前後のスロットや隣接するサブキャリアのチャネル推定値を用いて補間することで、各サブキャリアのチャネル推定値を求めて、チャネル推定の処理は終了する。
【００５９】
このように、受信環境をより精度良く推定することができる。
【００６０】
以上においては、一例として、CFIを既知信号として扱い、チャネル推定に利用することによって受信特性を改善することを説明したが、これに限るものではない。
【００６１】
チャネル推定以外に、SNR推定をするようにしても良く、信号電力、雑音電力、若しくは干渉電力推定をするようにしても良く、受信機の移動速度若しくはドップラー周波数の推定をするようにしても良く、遅延スプレッド推定をするようにしても良く、CQI若しくは受信品質推定をするようにしても良く、またはキャリア周波数の誤差推定をするようにしても良いなど、その他の受信環境の推定に利用してもよい。
【００６２】
また、既知信号として、MBSFNサブフレームのCFIを使用しているが、これに限るものではない。上位レイヤから通知される情報と同内容の情報が物理チャネル上で送信されている場合は、同様に既知信号として利用することができる。
【００６３】
さらに、以上において、3GPPで議論されているLTEを例に説明したが、必ずしもこれに限るものではない。他のOFDM伝送方式を用いたシステムや、他の無線通信システムでも同様に適用することができる。
【００６４】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００６５】
図６は、上述した一連の処理をプログラムにより実行するコンピュータのハードウェアの構成例を示すブロック図である。
【００６６】
コンピュータにおいて、CPU（Central Processing Unit）１０１，ROM（Read Only Memory）１０２，RAM（Random Access Memory）１０３は、バス１０４により相互に接続されている。
【００６７】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００６８】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００６９】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００７０】
そして、プログラムは、リムーバブルメディア１１１をドライブ１１０に装着することにより、入出力インタフェース１０５を介して、記憶部１０８に記憶することで、コンピュータにインストールすることができる。また、プログラムは、有線または無線の伝送媒体を介して、通信部１０９で受信し、記憶部１０８に記憶することで、コンピュータにインストールすることができる。その他、プログラムは、ROM１０２や記憶部１０８にあらかじめ記憶しておくことで、コンピュータにあらかじめインストールしておくことができる。
【００７１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７２】
また、本発明の実施の形態は、上述した実施の形態に限定されるものではなく、本発明の要旨を逸脱しない範囲において種々の変更が可能である。
【符号の説明】
【００７３】
２６…チャネル推定部、３１…デマッピング部、３２…リファレンスシグナルパターンキャンセル部、３３…補間部、３４…制御部、３５…リファレンスシグナルパターン生成部、３６…CFI符号化部、３７…CFI変調部、１０１…CPU、１０２…ROM、１０３…RAM、１０８…記憶部、１１１…リムーバブルメディア
【図１】
2012085047.tif 000003
【図２】
2012085047.tif 000004
【図３】
2012085047.tif 000005
【図４】
2012085047.tif 000006
【図５】
2012085047.tif 000007
【図６】
2012085047.tif 000008
【図７】
2012085047.tif 000009